(57)【要約】【課題】本発明の目的は、燃料電池積層体の積層方向端部に配置される端部燃料電池セルにおいて発生する極間温度差を抑制することができる燃料電池システムを提供することにある。【解決手段】本発明の燃料電池システムは、反応ガス流路が形成された一対のアノード極セパレータ及びカソード極セパレータを有する燃料電池セルを積層した燃料電池積層体と、前記燃料電池積層体の積層方向端部に配置され、前記カソード極セパレータの反応ガス流路の上流域と対向する上流域ヒータと前記カソード極セパレータの反応ガス流路の下流域と対向する下流域ヒータとを有するヒータと、前記燃料電池セル面内の発熱量分布を反映した発熱量を前記上流域ヒータ及び前記下流域ヒータに付与する発熱量制御手段と、を有する。【選択図】図１
2009187727.tif 000002
【特許請求の範囲】
【請求項１】
反応ガス流路が形成された一対のアノード極セパレータ及びカソード極セパレータを有する燃料電池セルを積層した燃料電池積層体と、
前記燃料電池積層体の積層方向端部に配置され、前記カソード極セパレータの反応ガス流路の上流域と対向する上流域ヒータと前記カソード極セパレータの反応ガス流路の下流域と対向する下流域ヒータとを有するヒータと、
前記燃料電池セル面内の発熱量分布を反映した発熱量を前記上流域ヒータ及び前記下流域ヒータに付与する発熱量制御手段と、を有することを特徴とする燃料電池システム。
【請求項２】
請求項１記載の燃料電池システムであって、前記燃料電池セル面内の発熱量分布は、前記燃料電池積層体から排出される冷却水の温度を検出する温度センサにより求められることを特徴とする燃料電池システム。
【請求項３】
請求項２記載の燃料電池システムであって、前記温度センサにより測定された温度がフラッディング発生温度範囲であるときは、前記制御手段により、前記下流域ヒータの発熱量を前記上流域ヒータの発熱量より高くし、前記温度センサにより測定された温度がドライアップ発生温度範囲であるときは、前記制御手段により、前記上流域ヒータの発熱量を前記下流域ヒータの発熱量より高くすることを特徴とする燃料電池システム。
【請求項４】
請求項１記載の燃料電池システムであって、前記燃料電池セル面内の発熱量分布は、前記燃料電池セルの電圧を検出する電圧センサにより求められることを特徴とする燃料電池システム。
【請求項５】
請求項４記載の燃料電池システムであって、前記電圧センサにより測定された電圧がフラッディング発生電圧範囲であるときは、前記制御手段により前記下流域ヒータの発熱量を前記上流域ヒータの発熱量より高くし、前記電圧センサにより検出された電圧がドライアップ発生電圧範囲であるときは、前記制御手段により前記上流域ヒータの発熱量を前記下流域ヒータの発熱量より高くすることを特徴とする燃料電池システム。
【請求項６】
請求項１記載の燃料電池システムであって、前記燃料電池セル面内の発熱量分布は、前記燃料電池セルの内部抵抗を検出する内部抵抗測定器により求められることを特徴とする燃料電池システム。
【請求項７】
請求項６記載の燃料電池システムであって、前記内部抵抗測定器により測定された抵抗値がフラッディング発生抵抗値範囲であるときは、前記制御手段により前記下流域ヒータの発熱量を前記上流域ヒータの発熱量より高くし、前記内部抵抗測定器により検出された抵抗値がドライアップ発生抵抗値範囲であるときは、前記制御手段により前記上流域ヒータの発熱量を前記下流域ヒータの発熱量より高くすることを特徴とする燃料電池システム。
【発明の詳細な説明】
【技術分野】
【０００１】
本発明は、燃料電池システムに用いられるヒータの技術に関するものである。
【背景技術】
【０００２】
燃料電池積層体は、燃料電池セルを複数積層して構成される。また、燃料電池セルは、電解質膜を介して配置される一対の電極（アノード極及びカソード極）を含む膜−電極アッセンブリと、膜−電極アッセンブリを挟持する一対の燃料電池用セパレータとを有する。燃料電池セルの発電時には、アノード極に供給するアノードガスを水素ガス、カソード極に供給するカソードガスを酸素ガスとした場合、アノード極側では、水素ガスが水素イオンと電子とに分解され、水素イオンは電解質膜中を通りカソード極側に、電子は外部回路を通じてカソード極に到達する。一方、カソード極側では、水素イオン、電子及び酸素ガスが反応して水を生成する反応が行われる。燃料電池セルは、上記化学反応が行われることによって、発電して電気エネルギを生成する。
【０００３】
燃料電池積層体において、積層方向端部に配置される端部燃料電池セルは、積層方向中央に配置される主燃料電池セルより外気への放熱量が多く、温度が低下し易い。そして、端部燃料電池セルは、外気への放熱と主燃料電池セルの発電による熱との影響により、端部燃料電池セルを構成するアノード極とカソード極との間で温度差（極間温度差）が生じる。極間温度差が生じると、アノード極とカソード極との間で、飽和蒸気分圧差による水の移動が起こり、端部燃料電池セルの発電性能が低下する場合がある。
【０００４】
一般に、端部燃料電池セルを暖機して、外気への放熱量を抑制するために、燃料電池積層体の端部にヒータが設けられる。しかし、端部燃料電池セルで発生する極間温度差は、端部燃料電池セルの面内全体で発生するものではなく、局部的に発生するものであるため、面内で均一に発熱するヒータを燃料電池積層体の端部に設けても、端部燃料電池セルにおいて局部的に発生する極間温度差を抑制することはできない。
【０００５】
また、例えば、特許文献１では、燃料電池積層体の端部の面上において複数に分割されたヒータを備え、端部燃料電池セルの面内の温度分布を均一に制御する燃料電池が提案されている。しかし、特許文献１の燃料電池のように、端部燃料電池セルの面内の温度分布が均一になるようにヒータを制御しようとすると、端部燃料電池セルの極間温度差が顕著となり、アノード極とカソード極との間で水の移動が促進される。
【０００６】
また、例えば、特許文献２では、燃料電池セルの発電面の一部に電気ヒータ等の加熱手段を設けることにより、低温起動特性に優れた燃料電池が提案されている。しかし、燃料電池の運転条件、温度等により、端部燃料電池セルにおける極間温度差が発生する場所も変わるため、特許文献２の燃料電池では、端部燃料電池セルで発生する極間温度差を十分に抑制することできない。
【０００７】
【特許文献１】特開平６−１７６７８１号公報
【特許文献２】特開２００２−３１３３９１号公報
【発明の開示】
【発明が解決しようとする課題】
【０００８】
本発明の目的は、燃料電池積層体の積層方向端部に配置される端部燃料電池セルにおいて発生する極間温度差を抑制することができる燃料電池システムを提供することにある。
【課題を解決するための手段】
【０００９】
本発明の燃料電池システムは、反応ガス流路が形成された一対のアノード極セパレータ及びカソード極セパレータを有する燃料電池セルを積層した燃料電池積層体と、前記燃料電池積層体の積層方向端部に配置され、前記カソード極セパレータの反応ガス流路の上流域と対向する上流域ヒータと前記カソード極セパレータの反応ガス流路の下流域と対向する下流域ヒータとを有するヒータと、前記燃料電池セル面内の発熱量分布を反映した発熱量を前記上流域ヒータ及び前記下流域ヒータに付与する発熱量制御手段と、を有する。
【００１０】
また、前記燃料電池システムにおいて、前記燃料電池セル面内の発熱量分布は、前記燃料電池積層体から排出される冷却水の温度を検出する温度センサにより求められることが好ましい。
【００１１】
また、前記燃料電池システムにおいて、前記温度センサにより測定された温度がフラッディング発生温度範囲であるときは、前記制御手段により、前記下流域ヒータの発熱量を前記上流域ヒータの発熱量より高くし、前記温度センサにより測定された温度がドライアップ発生温度範囲であるときは、前記制御手段により、前記上流域ヒータの発熱量を前記下流域ヒータの発熱量より高くすることが好ましい。
【００１２】
また、前記燃料電池システムにおいて、前記燃料電池セル面内の発熱量分布は、前記燃料電池セルの電圧を検出する電圧センサにより求められることが好ましい。
【００１３】
また、前記燃料電池システムにおいて、前記電圧センサにより測定された電圧がフラッディング発生電圧範囲であるときは、前記制御手段により前記下流域ヒータの発熱量を前記上流域ヒータの発熱量より高くし、前記電圧センサにより検出された電圧がドライアップ発生電圧範囲であるときは、前記制御手段により前記上流域ヒータの発熱量を前記下流域ヒータの発熱量より高くすることが好ましい。
【００１４】
また、前記燃料電池システムにおいて、前記燃料電池セル面内の発熱量分布は、前記燃料電池セルの内部抵抗を検出する内部抵抗測定器により求められることが好ましい。
【００１５】
また、前記燃料電池システムにおいて、前記内部抵抗測定器により測定された抵抗値がフラッディング発生抵抗値範囲であるときは、前記制御手段により前記下流域ヒータの発熱量を前記上流域ヒータの発熱量より高くし、前記内部抵抗測定器により検出された抵抗値がドライアップ発生抵抗値範囲であるときは、前記制御手段により前記上流域ヒータの発熱量を前記下流域ヒータの発熱量より高くすることが好ましい。
【発明の効果】
【００１６】
本発明によれば、燃料電池積層体の積層方向端部に配置される端部燃料電池セルにおいて発生する極間温度差を抑制する燃料電池システムを提供することができる。
【発明を実施するための最良の形態】
【００１７】
本発明の実施の形態について以下説明する。
【００１８】
図１は、本発明の実施形態に係る燃料電池システムの構成の一例を示す概略模式図である。図１に示すように燃料電池システム１は、燃料電池積層体１０と、上流域ヒータ１２及び下流域ヒータ１４と、温度センサ１６と、発熱量制御手段としてのＥＣＵ（Ｅｌｅｃｔｒｏｎｉｃ  Ｃｏｎｔｒｏｌ  Ｕｎｉｔ）１８と、アノードガス導入管２０及び排出管２２と、カソードガス導入管２４及び排出管２６と、冷却水導入管２８及び排出管３０とを備える。本実施形態に用いられる燃料電池積層体１０は、燃料電池セル３２を１０個積層したものを例とするが、燃料電池セル３２を少なくとも１個以上積層したものであればよい。
【００１９】
各導入管及び各排出管は、上流域ヒータ１２及び下流域ヒータ１４を介して、燃料電池積層体１０に接続されている。アノードガス導入管２０、カソードガス導入管２４、冷却水導入管２８は、燃料電池積層体１０に供給されるアノードガス、カソードガス、冷却水が通過するものであり、アノードガス排出管２２、カソードガス排出管２６、冷却水排出管３０は、燃料電池積層体１０から排出されるアノードガス、カソードガス、冷却水が通過するものである。各導入管及び各排出管の配置は、例えば、図１に示すように燃料電池積層体１０の積層方向端部の一方に各導入管が接続され、一方の積層方向端部と反対側の端部に各排出管が接続されるものに制限されず、燃料電池積層体１０の積層方向端部の一方に各導入管及び各排出管が接続されてもよい。また、燃料電池積層体１０と上流域ヒータ１２及び下流域ヒータ１４との間又は上流域ヒータ１２及び下流域ヒータ１４の外側に、集電板、絶縁板等が配置されてもよい。
【００２０】
図２は、本実施形態に用いられる燃料電池セルの構成の一例を示す模式断面図である。図２に示すように、燃料電池セル３２は、電解質膜３４の両側をアノード極３６、カソード極３８により挟持した膜−電極アッセンブリ４０と、膜−電極アッセンブリ４０の両外側を挟持するアノード極セパレータ４２及びカソード極セパレータ４４とを有する。アノード極３６及びカソード極３８は不図示の触媒層及び拡散層を有する。アノード極セパレータ４２及びカソード極セパレータ４４は、接着剤４６によりシールされている。アノード極セパレータ４２及びカソード極セパレータ４４において、電解質膜３４側に設けられる空洞部は、アノードガスが流れる反応ガス流路４８及びカソードガスが流れる反応ガス流路５０となっている。また、電解質膜３４側と反対側に設けられる空洞部は、冷却水が流れる冷却水流路５２となっている。
【００２１】
触媒層は、例えば、白金、ルテニウム等の金属触媒を担持したカーボンとパーフルオロスルホン酸系の電解質等とを混合して拡散層又は電解質膜３４上に成膜することにより形成される。拡散層は、カーボンクロス等の多孔質材料等が用いられる。電解質膜３４は、プロトン伝導性を有する膜であり、例えば、パーフルオロスルホン酸系の樹脂膜等が用いられる。
【００２２】
図３（Ａ）は、本実施形態に用いられるアノード極セパレータの一例を示す模式平面図であり、図３（Ｂ）は、本実施形態に用いられるカソード極セパレータの一例を示す模式平面図である。図３（Ａ），（Ｂ）に示すように、アノード極セパレータ４２、カソード極セパレータ４４は、反応ガス流路４８又は反応ガス流路５０、アノードガス入口５４及び出口５６、カソードガス入口５８及び出口６０、冷却水入口６２及び出口６４、冷却水流路（不図示）を備える。図１に示すアノードガス導入管２０から燃料電池積層体１０へ導入されるアノードガスは、図３（Ａ）に示すアノードガス入口５４を介して反応ガス流路４８を通り、アノードガス出口５６を介して、図１に示すアノードガス排出管２２から排出される。図１に示すカソードガス導入管２４から燃料電池積層体１０へ導入されるカソードガスは、図３（Ｂ）に示すカソードガス入口５８を介して反応ガス流路５０を通り、カソードガス出口６０を介して、図１に示すカソードガス排出管２６から排出される。図１に示す冷却水導入管２８から燃料電池積層体１０へ導入される冷却水は、図３（Ａ），（Ｂ）に示す冷却水入口６２を介して図２に示す冷却水流路５２を通り、図３（Ａ），（Ｂ）に示す冷却水出口６４を介して図１に示す冷却水排出管３０から排出される。
【００２３】
図３に示すアノード極セパレータ４２の反応ガス流路４８、カソード極セパレータ４４の反応ガス流路５０は、アノードガス又はカソードガスが蛇行するように流れるサーペンタイン型流路であるが、流路形状はこれに限定されるものではなく、アノードガス又はカソードガスが直線的に流れる櫛形状の流路等であってもよい。アノード極セパレータ４２及びカソード極セパレータ４４を構成する材料として、例えば、金属、カーボン等が挙げられる。
【００２４】
図４は、積層方向から見た燃料電池積層体の一部透過模式図である。カソード極セパレータの反応ガス流路に対する上流域ヒータ及び下流域ヒータの配置関係を説明するために、図４では、上流域ヒータ及び下流域ヒータとカソード極セパレータのみを表示している。図１に示すように、上流域ヒータ１２及び下流域ヒータ１４は、燃料電池積層体１０の積層方向端部に配置され、また、図４に示すように上流域ヒータ１２は、カソード極セパレータ４４の反応ガス流路５０の上流域と対向するように配置され、下流域ヒータ１４は、カソード極セパレータ４４の反応ガス流路５０の下流域と対向するように配置される。上流域とは、カソードガス入口５８に近い反応ガス流路５０の領域であり、下流域とは、カソードガス出口６０に近い反応ガス流路５０の領域である。
【００２５】
図４に示すように本実施形態の一例では、反応ガス流路５０の上流域側の上流域ヒータ１２と下流域側の下流域ヒータ１４の面積は等しいが、これに制限されるものではなく、適宜設定されてよい。例えば、図４に示すカソードガス入口５８から最初のコーナーまでの直線流路を上流域とし、当該最初のコーナーからカソードガス出口６０までのガス流路を下流域として、当該上流域及び下流域に対向するように上流域ヒータ及び下流域ヒータを配置してもよい（例えば、上流域ヒータ１２と下流域ヒータ１４の面積比＝１：３）。また、図４に示すカソードガス入口５８から最後のコーナーまでのガス流路を上流域とし、当該最後のコーナーからカソードガス出口６０までの直線流路を下流域として、当該上流域及び下流域に対向するように上流域ヒータ１２及び下流域ヒータ１４を配置してもよい（例えば、上流域ヒータ１２と下流域ヒータ１４の面積比＝３：１）。
【００２６】
さらに、本実施形態のヒータは、反応ガス流路５０を上流域、中流域、下流域に分けて、当該上流域と対向する上流域ヒータ、当該下流域と対向する下流域ヒータ、当該中流域と対向する中流域ヒータを備えるものであってもよい。すなわち、例えば、図４に示すカソードガス入口５８から最初のコーナーまでの直線流路を上流域とし、最後のコーナーからカソードガス出口６０までの直線流路を下流域とし、最初のコーナーから最後のコーナーまでのガス流路を中流域として、当該上流域及び下流域に対向するように上流域ヒータ及び下流域ヒータを配置させ、当該中流域に対向するように中流域ヒータを配置させてもよい。
【００２７】
本実施形態のヒータは、熱伝導性の良好な絶縁材の中に、加熱用合金線やニクロム線等が埋め込まれたものであり、ニクロム線等に電流が流れることによって発熱するものである。図１に示すように、上流域ヒータ１２及び下流域ヒータ１４とＥＣＵ１８とは電気的に接続されており、ＥＣＵ１８によって上流域ヒータ１２及び下流域ヒータ１４のＯＮ−ＯＦＦ、上流域ヒータ１２及び下流域ヒータ１４に流れる電流量の調整（すなわち、各分割ヒータの発熱量の調整）が行われる。なお、ニクロム線等に供給される電流は、燃料電池積層体の発電電流の一部を用いても良いし、外部電源から供給されるものであってもよい。
【００２８】
ＥＣＵ１８は、燃料電池セル３２の面内の発熱量分布を反映した発熱量を上流域ヒータ及び下流域ヒータに付与するものである。ＥＣＵ１８は特に制限されるものではないが、ＣＰＵとプログラムＲＯＭと作業用ＲＡＭと入出力インターフェイスとを備えるマイクロプロセッサで構成されている。
【００２９】
次に、燃料電池セルの発熱量分布について説明する。上記でも説明したように、燃料電池セル３２の発電によって、カソード極３８では、カソードガス、電子及び水素イオンが反応し、水分が生成される。カソード極３８で生成した水分は、主にカソード極セパレータ４４のカソードガス出口６０側に向かって反応ガス流路５０を流れるが、燃料電池セル３２の温度が低いと、カソードガス出口６０側に向かって流れる水分が凝縮して、液水となる。そして、燃料電池セル３２の温度がある温度以下（例えば、６４℃以下）になり、液水となる量が多くなると、反応ガス流路５０の下流域では液水が滞留し、フラッディングが発生する。反応ガス流路５０の下流域でのフラッディングにより、アノードガスとカソードガスとの反応によって取り出せるエネルギのうち、電力損失分（すなわち、熱損失分）が増大するため、反応ガス流路５０の下流域における燃料電池セル面の発熱量は上流域における燃料電池セル面より高くなる。一方、燃料電池セル３２の温度が高いと、反応ガス流路５０の上流域の水分が乾燥する。そして、燃料電池セル３２の温度がある温度以上（例えば、６５℃以上）になると、反応ガス流路５０の上流域でドライアップが発生する。反応ガス流路５０の上流域でのドライアップにより、アノードガスとカソードガスとの反応によって取り出せるエネルギのうち電力損失分（すなわち、熱損失分）が増大するため、反応ガス流路５０の上流域における燃料電池セル面の発熱量は下流域における燃料電池セル面より高くなる。
【００３０】
本実施形態では、反応ガス流路５０の下流域側の燃料電池セル面の発熱量が上流域側の燃料電池セル面より高くなる場合には、ＥＣＵ２０によって、下流域ヒータ１４の発熱量が上流域ヒータ１２の発熱量より高くなるように制御される。また、反応ガス流路５０の上流域側の燃料電池セル面の発熱量が下流域側の燃料電池セル面より高くなる場合には、ＥＣＵ１８によって、上流域ヒータ１２の発熱量が下流域ヒータ１４の発熱量より高くなるように制御される。
【００３１】
上記説明した燃料電池セル面の発熱量分布は、燃料電池積層体１０から排出される冷却水の温度により求められる。燃料電池積層体１０に供給される冷却水は、燃料電池セル３２と熱交換されるため、燃料電池セル３２の温度が低ければ熱交換量も低く、排出される冷却水の温度も低くなる。また、燃料電池セル３２の温度が高ければ熱交換量も高く、排出される冷却水の温度も高くなる。したがって、温度センサ１６により燃料電池積層体１０から排出される冷却水の温度を測定することによって、フラッディングが発生する燃料電池セルの温度範囲であるか否か、ドライアップが発生する燃料電池セルの温度範囲であるか否かを判別し、上記説明した燃料電池セル面（具体的には、ガス流路の上流域側及び下流域側）の発熱量分布を決定することができる。本実施形態では、冷却水排出管３０に温度センサ１６を設け、燃料電池積層体１０から排出される冷却水の温度が検出される。
【００３２】
図５は、本実施形態に係る燃料電池システムの運転方法の一例を説明するためのフロー図である。本実施形態に係る燃料電池システムの運転方法は、図１に示す燃料電池システム１を例として説明する。図５に示すように、ステップＳ１０では、燃料電池システム１を起動させ、燃料電池セル３２を発電させる。ステップＳ１２では、燃料電池セル３２の発電後、温度センサ１６により、燃料電池積層体１０から排出される冷却水の温度が検出される。温度センサ１６により検出された冷却水の温度が、燃料電池セル３２のフラッディング発生温度範囲である場合には、ＥＣＵ１８により、燃料電池セル面の発熱量分布は、反応ガス流路５０の上流域側より下流域側の発熱量が高いと判定される。ここで、フラッディング発生温度範囲とは、発電により生成した水分が液水となって、カソードガス出口付近で滞留する温度範囲である。このフラッディング発生温度範囲は、燃料電池セルの大きさ、反応ガス流路のガス圧損等によって影響を受けるものであり、予め実験等を行い適宜設定されるものである。
【００３３】
そして、上記のように燃料電池セル面の発熱量分布が判定されると、ステップＳ１４では、ＥＣＵ１８によりフラッディングにより生じる端部燃料電池セル面の発熱量分布を反映した発熱量が上流域ヒータ１２及び下流域ヒータに付与される。すなわち、下流域ヒータ１４の発熱量が上流域ヒータ１２の発熱量より高くなるように制御される。これにより、反応ガス流路５０の上流域側より発熱量の高い下流域側の端部燃料電池セル面から熱が外気へ放出されることを抑制し、下流域側より発熱量の低い上流域側の端部燃料電池セル面がヒータにより過剰に加熱されることを抑制することができるため、端部燃料電池セルの極間温度差を抑制することができる。
【００３４】
温度センサ１６により検出された冷却水の温度が、燃料電池セル３２のフラッディング発生温度範囲ではなく、燃料電池セル３２のドライアップ発生温度範囲である場合には、ＥＣＵ１８により、燃料電池セル面の発熱量分布は、反応ガス流路５０の下流域側より上流域側の発熱量が高いと判定される。ここで、ドライアップ発生温度範囲とは、カソードガス入口付近が乾燥状態となる温度範囲である。このドライアップ発生温度範囲は、燃料電池セルの大きさ、反応ガス流路のガス圧損等によって影響を受けるものであり、予め実験等を行い適宜設定されるものである。そして、上記のように燃料電池セル面の発熱量分布が判定されると、ステップＳ１６では、ＥＣＵ１８によりドライアップにより生じる端部燃料電池セル面の発熱量分布を反映した発熱量が上流域ヒータ１２及び下流域ヒータ１４に付与される。すなわち、上流域ヒータ１２の発熱量が下流域ヒータ１４の発熱量より高くなるように制御される。これにより、反応ガス流路５０の下流域側より発熱量の高い上流域側の端部燃料電池セル面から熱が外気へ放出されることを抑制し、上流域側より発熱量の低い下流域側の端部燃料電池セル面がヒータにより過剰に加熱されることを抑制することができるため、端部燃料電池セルの極間温度差を抑制することができる。
【００３５】
温度センサ１６により検出された冷却水の温度が、フラッディング発生温度範囲及びドライアップ発生温度範囲でない場合には、端部燃料電池セル面内の発熱量はほぼ均一であるため、ステップＳ１８において、ＥＣＵ１８により上流域ヒータ１２及び下流域ヒータ１４の発熱量が均等になるように制御される。また、本実施形態におけるフラッディング発生温度範囲及びドライアップ発生温度範囲は、適宜設定されるものであるが、例えば、フラッディング発生温度範囲を６５℃未満、ドライアップ発生温度範囲を６５℃以上と設定するような場合には、フラッディング発生温度範囲及びドライアップ発生温度範囲ではない温度範囲は存在しないため、図５に示すステップＳ１８は不要となる。
【００３６】
次に、ステップＳ２０では、ＥＣＵ１８に燃料電池セル３２の発電停止指令が入力されているかを確認し、入力されていれば、燃料電池システム１の運転が停止される。一方、発電停止指令が入力されていなければ、再度ステップＳ１２の処理に戻される。
【００３７】
次に、本発明の他の実施形態に係る燃料電池システムについて説明する。
【００３８】
図６は、本発明の他の実施形態に係る燃料電池システムの構成の一例を示す模式上面図である。図６に示すように、燃料電池システム２は、燃料電池積層体１０と、上流域ヒータ１２及び下流域ヒータ１４と、電圧センサ６６と、発熱量制御手段としてのＥＣＵ１８と、アノードガス導入管２０及び排出管２２と、カソードガス導入管２４及び排出管２６と、冷却水導入管２８及び排出管３０とを備える。図６に示す燃料電池システム２において、図１に示す燃料電池システム１の構成と同一のものは同一の符号を付してある。
【００３９】
電圧センサ６６は、燃料電池セル３２の電圧を測定するものである。ここで、電圧センサ６６により測定される電圧は、複数の燃料電池セル３２のうちの少なくともいずれか一つの電圧であればよいが、燃料電池積層体１０の積層方向端部の燃料電池セル３２の電圧であることが好ましい。燃料電池セル３２が適度な湿潤状態である場合、燃料電池セル３２の電圧は、ほぼ一定である。しかし、燃料電池セル３２において、上記説明したフラッディングが発生すると、燃料電池セル３２の電圧は低下し、また、上記説明したドライアップが発生すると燃料電池セル３２の電圧は上昇する。したがって、燃料電池セル３２の電圧を測定することにより、フラッディングが発生する電圧範囲であるか否か、ドライアップが発生している電圧範囲であるか否かを判別し、上記説明した燃料電池セル面の発熱量分布を決定することができる。
【００４０】
また、電圧センサ６６の代わりに内部抵抗測定器を用いてもよい。内部抵抗測定器は、燃料電池セル３２の内部抵抗を測定するものである。ここで、内部抵抗測定器により測定される内部抵抗は、複数の燃料電池セル３２のうちの少なくともいずれか一つの内部抵抗であればよいが、燃料電池積層体１０の積層方向端部の燃料電池セル３２の内部抵抗であることが好ましい。燃料電池セル３２が適度な湿潤状態である場合、燃料電池セル３２の内部抵抗は、ほぼ一定である。しかし、燃料電池セル３２において、上記説明したフラッディングが発生すると、燃料電池セル３２の内部抵抗は低下し、また、上記説明したドライアップが発生すると燃料電池セル３２の内部抵抗は上昇する。したがって、燃料電池セル３２の内部抵抗を測定することにより、フラッディングが発生しているか否か、ドライアップが発生しているか否かを判別し、上記説明した燃料電池セル面の発熱量分布を決定することができる。
【００４１】
図５を用いて、本実施形態に係る燃料電池システム２の運転方法の他の一例を説明する。ステップＳ１０では、燃料電池システム２を起動させ、燃料電池セル３２を発電させる。ステップＳ１２では、燃料電池セル３２の発電後、電圧センサ又は内部抵抗測定器により、燃料電池セルの電圧又は内部抵抗が検出される。電圧センサ又は内部抵抗測定器により検出された電圧又は内部抵抗が、燃料電池セル３２のフラッディング発生電圧範囲又はフラッディング発生抵抗値範囲である場合には、ＥＣＵ１８により、燃料電池セル面の発熱量分布は、反応ガス流路５０の上流域側より下流域側の発熱量が高いと判定される。ここで、フラッディング発生電圧範囲又はフラッディング発生抵抗値範囲とは、発電により生成した水分が液水となって、カソードガス出口付近で滞留する電圧範囲又は抵抗値範囲である。このフラッディング発生電圧範囲又はフラッディング発生抵抗値範囲は、燃料電池セルの大きさ、反応ガス流路のガス圧損等によって影響を受けるものであり、予め実験等を行い適宜設定されるものである。
【００４２】
そして、上記のように燃料電池セル面の発熱量分布が判定されると、ステップＳ１４において、ＥＣＵ１８によりドライアップにより生じる端部燃料電池セル面の発熱量分布を反映した発熱量が上流域ヒータ１２及び下流域ヒータ１４に付与される。すなわち、下流域ヒータ１４の発熱量が上流域ヒータ１２の発熱量より高くなるように制御される。これにより、反応ガス流路５０の上流域側より発熱量の高い下流域側の端部燃料電池セル面から熱が外気へ放出されることを抑制し、下流域側より発熱量の低い上流域側の端部燃料電池セル面がヒータにより過剰に加熱されることを抑制することができるため、端部燃料電池セルの極間温度差を抑制することができる。
【００４３】
電圧センサ又は内部抵抗検出器により測定された電圧又は内部抵抗が、燃料電池セルのフラッディング発生電圧範囲又はフラッディング発生抵抗値範囲ではなく、燃料電池セルのドライアップ発生電圧範囲又はドライアップ発生抵抗値範囲である場合には、燃料電池セル面の発熱量分布は、反応ガス流路５０の下流域側より上流域側の発熱量が高いと判定される。ここで、ドライアップ発生電圧範囲又はドライアップ発生抵抗値範囲とは、カソードガス入口付近が乾燥状態となる電圧範囲又は抵抗値範囲である。このドライアップ発生電圧範囲又はドライアップ発生抵抗値範囲は、燃料電池セルの大きさ、反応ガス流路のガス圧損等によって影響を受けるものであり、予め実験等を行い適宜設定されるものである。そして、上記のように燃料電池セル面の発熱量分布が判定されると、ステップＳ１６において、ＥＣＵ１８によりドライアップにより生じる端部燃料電池セル面の発熱量分布を反映した発熱量が上流域ヒータ１２及び下流域ヒータ１４に付与される。すなわち、上流域ヒータ１２の発熱量が下流域ヒータ１４の発熱量より高くなるように制御される。これにより、反応ガス流路５０の下流域側より発熱量の高い上流域側の端部燃料電池セル面から熱が外気へ放出されることを抑制し、上流域側より発熱量の低い下流域側の端部燃料電池セル面がヒータにより過剰に加熱されることを抑制することができるため、端部燃料電池セルの極間温度差を抑制することができる。
【００４４】
電圧センサ又は内部抵抗検出器により検出された電圧又は内部抵抗が、フラッディング発生電圧範囲又はフラッディング発生内部抵抗値範囲でなく、また、ドライアップ発生電圧範囲又はドライアップ発生内部抵抗値範囲でもない場合には、燃料電池セル面内の発熱量はほぼ均一であるため、ステップＳ１８において、ＥＣＵ１８により上流域ヒータ１２及び下流域ヒータ１４の発熱量が均等になるように制御される。本実施形態におけるフラッディング発生電圧範囲又はフラッディング発生内部抵抗値範囲、ドライアップ発生電圧範囲又はドライアップ発生内部抵抗値範囲も上記同様に、適宜設定されるものである。しかし、例えば、フラッディング発生電圧範囲を１Ｖ未満、ドライアップ発生電圧範囲を１Ｖ以上と設定するような場合には、フラッディング発生電圧範囲、ドライアップ発生電圧範囲でない電圧は存在しないため、図５に示すステップＳ１８は不要となる。
【００４５】
次に、ステップＳ２０では、ＥＣＵ１８に燃料電池セル３２の発電停止指令が入力されているかを確認し、入力されていれば、燃料電池システム２の運転が停止される。一方、発電停止指令が入力されていなければ、再度ステップＳ１２の処理に戻される。
【００４６】
上記本実施形態に係る燃料電池システムは、例えば、携帯電話、携帯用パソコン等のモバイル機器用小型電源、自動車用電源、家庭用電源等として使用することができる。
【図面の簡単な説明】
【００４７】
【図１】本発明の実施形態に係る燃料電池システムの構成の一例を示す概略模式図である。
【図２】本実施形態に用いられる燃料電池セルの構成の一例を示す模式断面図である。
【図３】本実施形態に用いられる燃料電池用セパレータの一例を示す模式平面図である。
【図４】積層方向から見た燃料電池積層体の一部透過模式図である。
【図５】本実施形態に係る燃料電池システムの運転方法の一例を説明するためのフロー図である。
【図６】本発明の他の実施形態に係る燃料電池システムの構成の一例を示す模式上面図である。
【符号の説明】
【００４８】
１，２  燃料電池システム、１０  燃料電池積層体、１２  上流域ヒータ、１４  下流域ヒータ、１６  温度センサ、１８  ＥＣＵ、２０  アノードガス導入管、２２  アノードガス排出管、２４  カソードガス導入管、２６  カソードガス排出管、２８  冷却水導入管、３０  冷却水排出管、３２  燃料電池セル、３４  電解質膜、３６  アノード極、３８  カソード極、４０  膜−電極アッセンブリ、４２  アノード極セパレータ、４４  カソード極セパレータ、４６  接着剤、４８，５０  反応ガス流路、５２  冷却水流路、５４  アノードガス入口、５６  アノードガス出口、５８  カソードガス入口、６０  カソードガス出口、６２  冷却水入口、６４  冷却水出口、６６  電圧センサ。
【図１】
2009187727.tif 000003
【図２】
2009187727.tif 000004
【図３】
2009187727.tif 000005
【図４】
2009187727.tif 000006
【図５】
2009187727.tif 000007
【図６】
2009187727.tif 000008